(57)【要約】【課題】シャットオフトリガ機構の内容物放出口に対するトリガレバーのシール作用の確実化を図り、また、トリガレバー操作面部分の利用者の指当たり感覚の良好化を図る。【解決手段】図示の静止モードにおいて、内容物の放出口５ｊをトリガレバー７の軟質性状のシール作用部７ｈでシールする。シール作用部７ｈをトリガレバー本体７ｋとの二色成形加工により作成している。また、トリガレバー７の操作面部分７ａをシール作用部７ｈから連続する軟質性状部材で設定することも開示している。【選択図】図１
2014210600.tif 000002
【特許請求の範囲】
【請求項１】
容器本体の内容物を外部空間域に放出するための放出口が、トリガレバーを用いた内容物放出操作に基づいて、それまでの当該トリガレバーによるシール状態から当該外部空間域への露出状態に移行するシャットオフトリガ機構において、
前記トリガレバーは、
前記内容物放出操作がおこなわれていない静止モードの位置に弾性力で付勢され、
当該静止モードのときに前記放出口を塞ぐシール作用部が、当該トリガレバーの本体部分とは別要素の形で設けられている、
ことを特徴とするシャットオフトリガ機構。
【請求項２】
前記シール作用部は、
軟質性状のものである、
ことを特徴とする請求項１記載のシャットオフトリガ機構。
【請求項３】
前記シール作用部は、
前記トリガレバーの操作面部分にも拡大成形加工されている、
ことを特徴とする請求項１または請求項２記載のシャットオフトリガ機構。
【請求項４】
請求項１乃至請求項３のいずれかに記載のシャットオフトリガ機構を備え、かつ、容器本体に噴射用ガスおよび内容物を収容した、
ことを特徴とするエアゾール式製品。
【請求項５】
請求項１乃至請求項３のいずれかに記載のシャットオフトリガ機構を備え、かつ、容器本体に内容物を収容した、
ことを特徴とするポンプ式製品。
【発明の詳細な説明】
【技術分野】
【０００１】
本発明は、容器本体の内容物を外部空間域に放出するための放出口が、トリガレバーを用いた内容物放出操作に基づいて、それまでの当該トリガレバーによるシール状態から当該外部空間域への露出状態に移行するシャットオフトリガ機構に関する。
【０００２】
特に、トリガレバー本体部分にこれとは別要素の形で設定された軟質性状のシール作用部で静止モードの放出口を閉塞するようにしたシャットオフトリガ機構に関する。
【０００３】
さらには、このシール作用部をトリガレバーの操作面部分にも拡大的に成形加工して、利用者の内容物放出操作におけるいわば指感覚の良好化を図ったシャットオフトリガ機構に関する。
【０００４】
なお、本発明にかかるシャットオフトリガ機構はエアゾール式製品およびポンプ式製品のいずれにも適用できる。
【０００５】
本明細書では、前後左右の位置関係について、トリガレバー７の操作面部分７ａの側を「前」、それとは反対の例えば凸状軸部７ｂの側を「後」とそれぞれ記す。
【０００６】
この前後方向とおおよそ水平面内で略直交する方向などを「左右」とする。また、上下方向を「縦」ともいい、この縦方向に対して略直交する任意の方向を「横」という。ここでは「左右方向」に加えて、「前後方向」も「縦方向（上下方向）」に対する「横方向」といえる。
【０００７】
また、内容物放出口が、内容物放出操作時以外のトリガレバーで塞がれて、すなわちシールされて外部空間域に露出しない状態を「静止モード」といい、トリガレバーの回動操作などにより内容物放出口が外部空間域に露出してそこから内容物が放出される状態を「作動モード」という。
【背景技術】
【０００８】
本件出願人は、静止モードのとき、トリガレバーおよびドーム状のカラー部材で内容物放出口などをカバーして保持し、作動モード設定操作にともなうトリガレバーの移動により内容物放出口などが露出して、ステムが作動モード位置へと下動し、また、内容物放出操作の解除にともないトリガレバーが弾性部材の作用により静止モード位置へ自動復帰する、すなわち内容物放出口などがトリガレバーでカバーされた形のシャットオフトリガ機構を提案している（特許文献１参照）。
【先行技術文献】
【特許文献】
【０００９】
【特許文献１】特願２０１２−２７８４３１
【発明の概要】
【発明が解決しようとする課題】
【００１０】
提案済みのシャットオフトリガ機構は、静止モードのとき、操作部材などで内容物放出口をカバーして保護し、トリガレバーを弾性力に抗しながら内容物放出用の引き操作（回動操作）をすることにより内容物放出口が露出した作動モードへ移行し、かつ、この引き操作を解除すれば静止モードに自動復帰するという利点を備えたものである。
【００１１】
本発明では、例えばこのようなシャットオフトリガ機構におけるトリガレバーの、内容物放出口に対するシール作用部をトリガレバー本体とは別要素の形で設けることにより、当該内容物放出口をカバーするためにいわば特化した例えば軟質性部材で当該シール作用部を構成して、静止モードにおける内容物放出口のシール動作の確実化を図ることを目的とする。
【００１２】
また、トリガレバーの操作面部分にもシール作用部を拡大的に成形加工することにより、利用者の内容物放出操作時の指あたり感覚の良好化を図り、さらには当該操作面部分のデザインの良好化を図ることを目的とする。
【課題を解決するための手段】
【００１３】
本発明は、以上の課題を次のシャットオフトリガ機構を用いることにより解決する。
（１）容器本体（例えば後述の容器本体１）の内容物を外部空間域に放出するための放出口（例えば後述の放出口５ｊ）が、トリガレバー（例えば後述のトリガレバー７）を用いた内容物放出操作に基づいて、それまでの当該トリガレバーによるシール状態から当該外部空間域への露出状態に移行するシャットオフトリガ機構において、
前記トリガレバーは、
前記内容物放出操作がおこなわれていない静止モードの位置に弾性力（例えば後述のバネ部材９の弾性力）で付勢され、
当該静止モードのときに前記放出口を塞ぐシール作用部（例えば後述のシール作用部７ｈ）が、当該トリガレバーの本体部分（例えば後述のトリガレバー本体７ｋ）とは別要素の形で設けられている、
構成態様のものを用いる。
（２）上記（１）において、
前記シール作用部は、
軟質性状のものである、
構成態様のものを用いる。
（３）上記（１），（２）において、
前記シール作用部は、
前記トリガレバーの操作面部分（例えば後述の操作面部分７ａ）にも拡大成形加工されている、
構成態様のものを用いる。
【００１４】
このような構成からなるシャットオフトリガ機構、ならびに当該シャットオフトリガ機構を備えて後述のガス，内容物などを容器本体に収容したエアゾール式製品、および当該シャットオフトリガ機構を備えて後述の内容物などを容器本体に収容したポンプ式製品を本発明の対象としている。
【発明の効果】
【００１５】
本発明は以上の課題解決手段をとることにより、
(11)静止モードにおける内容物放出口のシール動作の確実化を図ることができ、
(12)利用者の内容物放出操作時の指あたり感覚の良好化を図り、さらには当該操作面部分のデザインの良好化を図ることができる。
【図面の簡単な説明】
【００１６】
【図１】シャットオフトリガ機構（その１）の静止モードの縦断面を示す説明図である。
【図２】図１のシャットオフトリガ機構のトリガレバー７を図示反時計方向に回動操作したときの初期段階（ステムジョイント５の放出口５ｊが露出するものの、ステム４はまだ下方に移動してない内容物未放出の状態）の縦断面を示す説明図である。
【図３】図２のシャットオフトリガ機構のトリガレバー７を図示反時計方向にさらに回動操作したときの内容物放出状態（作動モード）の縦断面を示す説明図である。
【図４】シャットオフトリガ機構（その２：シール作用部がトリガレバーの操作面部分にも拡大的に成形加工されたシャットオフトリガ機構）の静止モードの縦断面を示す説明図である。
【図５】図１のシャットオフトリガ機構を構成するトリガレバー７およびバネ部材９それぞれの斜視状態を示す説明図である。
【発明を実施するための最良の形態】
【００１７】
図１乃至図５を用いて本発明を実施するための最良の形態を説明する。
なお、上述したように本発明のシャットオフトリガ機構はエアゾール式製品およびポンプ式製品のいずれにも適用できるが、以下の実施形態の記載では単なる説明の便宜上、エアゾール式製品への適用例を原則としている。
【００１８】
以下のアルファベット付き参照番号の構成要素（例えば横孔部４ａ）は原則として、この参照番号数字部分の構成要素（例えばステム４）の一部であることを示している。
【００１９】
図１〜図４のシャットオフトリガ機構は、マウンティングキャップ２，ハウジング３，ステム４，ステムジョイント５，カラー部材６，トリガレバー７，上部カバー８およびバネ部材９などからなっている。
【００２０】
図１〜図５において、
１は後述の内容物および噴射用ガスを収納した周知の容器本体，
２は容器本体１の開口端部側に取り付けられた周知のマウンティングキャップ，
２ａは当該マウンティングキャップの外側下端域に設定されて後述のカラー部材６（筒状基部６ａの内周面下端側の環凸状部）が強く係合する周知の環凹状部，
３はマウンティングキャップ２の中央部分に係合保持され、放出対象内容物の貯留域，通路域として作動するハウジング，
をそれぞれ示している。
【００２１】
また、
４は弾性力により上方向へ付勢された状態で、ハウジング３の内部およびその上方空間域に配設されて周知のバルブ作用を呈する鞘形状のステム，
４ａはステム周面部に形成された弁作用部としての横孔部，
４ｂはステム内部に形成されて横孔部４ａと連通する中間通路域，
４ｃは横孔部４ａの開閉状態を選択的に設定し、またハウジング内部のシール作用を呈する周知のステムガスケット，
４ｄは当該ステムを上方向に付勢する周知のコイルスプリング，
をそれぞれ示している。
【００２２】
また、
５は縦筒状部およびこれに続く横筒状部からなる可撓性Ｌ字状筒状部を備え、当該縦筒状部がステム４の出力側外周面に嵌合固定されて当該ステムと連動し、かつ、内容物の出力側通路域として作用するステムジョイント，
５ａは縦筒状部，
５ｂは縦筒状部５ａの下流側に続く横筒状部，
５ｃは縦筒状部５ａの下端側部分であってステム４の出力側筒状部分に嵌合固定される大径筒状部，
５ｄは大径筒状部５ｃの下端側内周面に形成されてステム４の環状上端面に当接する環状の天井段部，
５ｅは縦筒状部５ａの外周面の大径筒状部５ｃに続く上側部分にその前方および両横へ延びる略水平態様で形成されて、その上面部分が後述のバネ部材９のＣ字状基部９ｂの載置面として作用する半円板状部，
５ｆは半円板状部５ｅの左右両端側に形成されて、カラー部材６の上下方向のガイド部（図示省略）でのガイド作用により縦筒状部５ａの前後方向へのずれや回動方向への捩れなどを阻止する一対の凸状部，
５ｇは横筒状部５ｂの外周面に形成された環鍔状部，
５ｈは横筒状部５ｂの外周面に、自らの後端面が環鍔状部５ｇと当接する形で取り付けられた内容物通過用のノズル，
５ｊはノズル５ｈの先端部分に形成された内容物噴射用の放出口，
５ｋはノズル５ｈの上側部分であって後述のカラー部材６に係合保持される略三角山形状平面の平天板部，
をそれぞれ示している。
【００２３】
また、
６はマウンティングキャップ２の環凹状部２ａに嵌合保持されて、ノズル５ｈの係合保持部，トリガレバー７の回動中心部などとして作用するカラー部材，
６ａはマウンティングキャップ２の環凹状部２ａに嵌合保持される筒状基部，
６ｂは筒状基部６ａの上端部分から略上り傾斜で形成された略環状の天面，
６ｃは天面６ｂの開口縁部分の左右両側および後側などに形成された起立部，
６ｄは起立部６ｃを構成する左右対向状態の一対の平側板状部分，
６ｅは平側板状部分６ｄの上端後側に形成されて後述のトリガレバー７の回動中心部として作用する一対の孔部，
６ｆは平側板状部分６ｄの内面と起立部６ｃとの間に、その長尺側が平側板状部分６ｄの前方内面より左右方向外側に後退した形の後方内面から離間した平面Ｌ字状の水平態様で形成されて、上部カバー８の上凸状部８ｅの下面部分を案内する一対のレール状上端面，
６ｇはレール状上端面６ｆと同様の水平態様で当該レール状上端面の下方に形成されて、上部カバー８の下凹状部８ｆを案内する一対のレール状の外向き下端凸状部，
６ｈは当該カラー部材の上端開口部前方に形成されて、その下面（天井面）でトリガレバー７の上端面部分を受ける平面略Ｖ字状の上端枠状部（上枠状部分），
をそれぞれ示している。
【００２４】
また、
７はカラー部材６の孔部６ｅに回動可能な形で取り付けられた上側・下側開口態様のトリガレバー，
７ａは当該トリガレバーの操作面部分，
７ｂは当該トリガレバーの内側面後端部分に形成されてカラー部材６の孔部６ｅとの係合作用により回動中心となる一対の凸状軸部，
７ｃは当該トリガレバーの内部空間域における操作面部分７ａの裏面の上下方向中間部分から後方向，左右方向に、三個のリブ状部で支持される態様により形成され、後端部分に切欠部を有する天板状部，
７ｄは天板状部７ｃの左右両側の縁部分から下方に形成されて後述のバネ部材９との協働作用を呈する一対の板状垂下部，
７ｅは板状垂下部７ｄの後側下端面に形成された一対の直線状下端面，
７ｆは直線状下端面７ｅの前端部分とそこから起立する部分との境界域に形成された一対の小さな曲線状角端面，
７ｇは板状垂下部７ｄの直線状下端面７ｅより前方部分に形成されて後述のバネ部材９の連結軸状部９ｃと係合するΩ状部（凹状部），
７ｈは操作面部分７ａの裏面上側に二色成形加工により形成されて、図１の静止モードのとき放出口５ｊを塞いでシール作用を呈する軟質性状のシール作用部，
７ｊは操作面部分７ａの表面に、二色成形加工により、シール作用部７ｈから連続する拡大態様で形成された軟質性状の弾性被覆部（図４参照），
７ｋは当該トリガレバーからシール作用部７ｈおよび弾性被覆部７ｊを捨象した形のトリガレバー本体，
をそれぞれ示している。
【００２５】
また、
８はカラー部材６の上部開口部に取り付けられる上部カバー，
８ａは当該上部カバーの上部分であって小判状・変形楕円状の天板部（天板作用部），
８ｂは天板部８ａの前端部分，
８ｃは天板部８ａの天井面後側部分の左右方向に形成された板状の柱状垂下部，
８ｄは柱状垂下部８ｃの前面の左右中央部分に天板部８ａの天井面から前後方向の垂下板状態で形成された補強リブ，
８ｅは柱状垂下部８ｃの左右の外側面下側部分に形成されて、自らの下面部分がカラー部材６のレール状上端面６ｆに案内される一対の上凸状部，
８ｆは柱状垂下部８ｃの左右外側面の上凸状部８ｅよりも下側に形成されて、当該上凸状部と同様にカラー部材６の外向き下端凸状部６ｇに案内される一対の下凹状部，
をそれぞれ示している。
【００２６】
また、
９はステムジョイント５に載置されて、トリガレバー７を、その凸状軸部７ｂを中心とした図１の時計方向に回動付勢するためのバネ部材（弾性部材），
９ａは左右一対で、それぞれ前後方向の前側開口，二層形状からなる略Ｕ字状の弾性作用部，
９ｂは弾性作用部９ａそれぞれの下側端部分同士を接続した形からなり、ステムジョイント５の半円板状部５ｅに載置される後側開口，水平形状のＣ字状基部，
９ｃは弾性作用部９ａそれぞれの上前端側部分の間に形成された連結軸状部，
９ｄはＣ字状基部９ｂの後端側から弾性作用部９ａの下側端部にかけて内側へと張り出す態様で形成され、トリガレバー７の引き操作にともないその曲線状角端面７ｆが当接する膨出部，
をそれぞれ示している。
【００２７】
ここで、トリガレバー７のシール作用部７ｈおよび弾性被覆部７ｊは軟質性状のエラストマーやプラスチック，ゴムからなっている。
【００２８】
エラストマーとしては、スチレン系エラストマー，ポリオレフィン系エラストマー，塩化ビニル系エラストマーおよびエステル系エラストマーなどを用いる。
【００２９】
プラスチックとしては、ポリエステル系樹脂（例えばポリエチレンテレフタレート，ポリブチレンテレフタレート），ポリオレフィン系樹脂（例えばポリエチレン，ポリプロピレン），フッ素系樹脂（例えば四フッ化エチレン樹脂），塩化ビニルおよびポリウレタンなどを用いる。
【００３０】
ゴムとしては、クロロプレンゴム，ニトリルゴム，シリコーンゴムおよびフッ素ゴムなどを用いる。
【００３１】
また、ハウジング３，ステム４，ステムジョイント５，カラー部材６，トリガレバー本体７ｋおよび上部カバー８などは、例えばポリプロピレン，ポリエチレン，ポリアセタール，ナイロン，ポリブチレンテレフタレートなどからなるプラスチック製のものである。
【００３２】
また、容器本体１やマウンティングキャップ２は金属製のものであり、ステムガスケット４ｃはゴム製のものであり、コイルスプリング４ｄやバネ部材９はプラスチック製，金属製のものである。
【００３３】
図示のシャットオフトリガ機構の基本的特徴は、
(21)内容物の放出口５ｊに対するシール作用部７ｈをトリガレバー本体とは別要素の軟質性状部材で構成し、
(22)トリガレバー７の操作面部分７ａにもシール作用部７ｈから連続する弾性被覆部７ｊを拡大的に成形加工した、
ことである。
【００３４】
図１〜図４のシャットオフトリガ機構の組立て手順は例えば次のようになる。
(31)ステムジョイント５の横筒状部５ｂにノズル５ｈを取り付けて一体化し、
(32)次に、この一体化後のステムジョイント５をカラー部材６の上前端側開口部から下方に取り付けて一体化し、
(33)次に、トリガレバー７のΩ状部７ｇにバネ部材９の連結軸状部９ｃを取り付けて一体化し、
(34)次に、上記(32)の手順で一体化したステムジョイント５およびカラー部材６の上側開口部に上部カバー８を取り付けて一体化し、
(35)次に、上記(33)の手順で一体化したトリガレバー７およびバネ部材９をカラー部材６の前開口部から後方に入れる。
【００３５】
上記(33)の手順でトリガレバー７に一体化されたバネ部材９は、その弾性作用部９ａの上端面前部分が当該トリガレバーの天板状部７ｃに当接している。そのためトリガレバー７のΩ状部７ｇに取り付けられたバネ部材９が回動することはない。
【００３６】
上記(34)の手順の際には、カラー部材６の外向き下端凸状部６ｇが、上部カバー８の下凹状部８ｆに、当該下凹状部の直下凸状部との間の相対的な弾性圧縮変形を生じながら入り込む。
【００３７】
上記(35)の手順の際には、トリガレバー７の一対の凸状軸部７ｂが、それぞれカラー部材６の平側板状部分６ｄの外側に案内されながら外側に広げられて係合用の孔部６ｅへと移動する。
【００３８】
トリガレバー７が操作されていない静止モード（図１，図４参照）のとき、
(41)ステム４は、コイルスプリング４ｄの弾性力により上動してステムガスケット４ｃが横孔部４ａを閉じた周知の状態でハウジング３に保持され、
(42)トリガレバー７は、ステム４と嵌合状態のステムジョイント５の半円板状部５ｅに載置されたバネ部材９の弾性力（コイルスプリング４ｄよりも弱い弾性力）により図示時計方向に回動して、当該トリガレバーの上端面部分がカラー部材６の上端枠状部６ｈに当接し、かつ、シール作用部７ｈが放出口５ｊに当接して閉塞した状態で保持され、
(43)この当接保持状態におけるトリガレバー７（板状垂下部７ｄ）の直線状下端面７ｅおよび曲線状角端面７ｆは、バネ部材９の膨出部９ｄからその上方に十分離間している。
【００３９】
この直線状下端面７ｅおよび曲線状角端面７ｆと膨出部９ｄとの離間分だけ、静止モード（図１，図４参照）におけるトリガレバー７の引き操作開始から、ステムジョイント５およびこれと一体のステム４がコイルスプリング４ｄの上方向への強い弾性力に抗しながら下方向へ駆動されて内容物放出状態に移行するまでに、いわば遅延が生じる。
【００４０】
この遅延の間、コイルスプリング４ｄの強弾性力で上方向に付勢されたステムジョイント５は下方へ移動することなしに、トリガレバー７が、その凸状軸部７ｂを中心としてバネ部材９の弱弾性力に抗しながら図１の反時計方向に回動する。
【００４１】
このトリガレバー７の回動にともない、それまで当該トリガレバーでシールされていたステムジョイント５の放出口５ｊが外部空間域に露出する（図２参照）。
【００４２】
上述したようにトリガレバー７を図１〜図４の時計方向に付勢するバネ部材９の弾性力は、ステム４を上方向に付勢するコイルスプリング４ｄのそれよりも十分小さい。
【００４３】
この弾性力の違いにより、図１，図４の静止モードにおけるトリガレバー７の後方（反時計方向）への引き操作の際には、
(51)先ず連結軸状部９ｃを介してトリガレバーと一体のバネ部材９がその弾性作用部９ａそれぞれの上側部分を下方に移動させる態様で変位し（図２参照）、
(52)この弾性作用部９ａの変位終了後のさらなるトリガレバー引き操作にともない、コイルスプリング４ｄがその弾性力に抗する形で下方向に変位する（図３参照）。
【００４４】
すなわち、トリガレバー７の引き操作にともない、
(61)強弾性力のコイルスプリング４ｄは変位せずに、弱弾性力のバネ部材９のみが変位する初期段階のとき、ノズル５ｈの放出口５ｊが外部空間域に露出するものの当該放出口から内容物が噴射されることはなく、
(62)この内容物が噴射されない状態は、凸状軸部７ｂを中心としたトリガレバー７の反時計方向への回動により、その曲線状角端面７ｆがバネ部材９の膨出部９ｄの上面部分に当接するまで続き（図２参照）、
(63)この曲線状角端面７ｆと膨出部９ｄとの当接後は、バネ部材９が載置されたステムジョイント５およびこれと一体のステム４がトリガレバー７の曲線状角端面７ｆからのいわば駆動力を受け、
(64)この駆動力を受けたステム４は、コイルスプリング４ｄの上方向への弾性力に抗しながら下方向へ移動し、
(65)シャットオフトリガ機構は、このステム４の下方向への移動により周知の内容物放出状態の作動モードに移行する（図３参照）。
【００４５】
静止モードと作動モードとの間でステムジョイント５が上下方向に変位するとき、その前端部分に相当するノズル５ｈはカラー部材６と一体化しているので、その縦筒状部５ａおよび横筒状部５ｂからなる可撓性Ｌ字状筒状部の自由中間部分が変形する。
【００４６】
図３の作動モードでは、それまでステム４の横孔部４ａを閉じていたステムガスケット４ｃのステム当接部分（内側部分）の変形により、当該横孔部がそれまでの閉状態から開状態へと変化している。
【００４７】
このとき容器本体１の内容物は、噴射用ガスの作用により「ステム４の横孔部４ａ−ステム４の中間通路域４ｂ−ステムジョイント５の縦筒状部５ａ，横筒状部５ｂ−ノズル５ｈの放出口５ｊ」を経て外部空間域に放出される。この噴射用ガスの作用に基づく内容物放出動作は周知である。
【００４８】
利用者がトリガレバー７の後方への引き操作を解除すると、
(71)ステム４およびこれと一体のステムジョイント５，バネ部材９などはコイルスプリング４ｄの弾性力により上方向へ駆動されて、弁作用部（横孔部４ａおよびステムガスケット４ｃ）がそれまでの開状態から閉状態へと移行し、
(72)フリー状態となったトリガレバー７は、バネ部材９の弾性力により図示時計方向へ回動して、当該トリガレバーの上端面部分がカラー部材６の上端枠状部６ｈに当接し、かつ、シール作用部７ｈが放出口５ｊに当接した閉塞状態へと移行する。
【００４９】
すなわち、図３のシャットオフトリガ機構は、内容物放出操作時の作動モードから図１の静止モードに復帰する。
【００５０】
本発明が、図示の実施形態に限定されないことは勿論であって例えば、
(81)シール作用部７ｈや弾性被覆部７ｊを、トリガレバー本体７ｋとは別々に形成した上で当該トリガレバー本体に固定的に取り付ける、
(82)トリガレバー７の操作面部分７ａに指の滑りとめの凹状部，凸状部を形成する、
(83)トリガレバー７の作動モード設定操作の際に、その曲線状角端面７ｆがステムジョイント５の半円板状部５ｅの上面に当接してこれを下方に直接駆動する、
(84)図１，図４の静止モードにおける放出口５ｊが露出しないシール状態を、カラー部材６の上端枠状部６ｈとトリガレバー７との小離間状態の形で設定する、
(85)図１〜図４のシャットオフトリガ機構をポンプ式製品に用いる、
ようにしてもよい。
【００５１】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５２】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５４】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５５】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５７】
高分子化合物としては、メチルセルロース，ゼラチン，デンプン，カゼイン，ヒドロキシエチルセルロース，キサンタンガム，カルボキシビニルポリマーなどを用いる。
【００５８】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの殺虫剤・害虫忌避剤、酸化亜鉛などの制汗剤、ローズオイル、リナロールなどの香料、植物抽出物などの消臭剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５９】
さらに、上記内容物以外の、懸濁剤，紫外線吸収剤，乳化剤，保湿剤，酸化防止剤、金属イオン封鎖剤なども用いることができる。
【００６０】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６１】
１：容器本体
２：マウンティングキャップ
２ａ：環凹状部
３：ハウジング
４：ステム
４ａ：横孔部
４ｂ：中間通路域
４ｃ：ステムガスケット
４ｄ：コイルスプリング
５：ステムジョイント
５ａ：縦筒状部
５ｂ：横筒状部
５ｃ：大径筒状部
５ｄ：天井段部
５ｅ：半円板状部
５ｆ：凸状部
５ｇ：環鍔状部
５ｈ：ノズル
５ｊ：放出口
５ｋ：平天板部
６：カラー部材
６ａ：筒状基部
６ｂ：天面
６ｃ：起立部
６ｄ：平側板状部分
６ｅ：孔部
６ｆ：レール状上端面
６ｇ：レール状の外向き下端凸状部
６ｈ：上端枠状部
７：トリガレバー
７ａ：操作面部分
７ｂ：凸状軸部
７ｃ：天板状部
７ｄ：板状垂下部
７ｅ：直線状下端面
７ｆ：曲線状角端面
７ｇ：Ω状部（凹状部）
７ｈ：シール作用部
７ｊ：弾性被覆部（図４）
７ｋ：トリガレバー本体
８：上部カバー
８ａ：天板部
８ｂ：前端部分
８ｃ：柱状垂下部
８ｄ：補強リブ
８ｅ：上凸状部
８ｆ：下凹状部
９：バネ部材
９ａ：弾性作用部
９ｂ：Ｃ字状基部
９ｃ：連結軸状部
９ｄ：膨出部
【図１】
2014210600.tif 000003
【図２】
2014210600.tif 000004
【図３】
2014210600.tif 000005
【図４】
2014210600.tif 000006
【図５】
2014210600.tif 000007